(57)【特許請求の範囲】
【請求項１】
外部出力によりベルまたはチャイムを鳴動させるベルタイマにおいて、ＬＡＮ接続機能及びＨＴＴＰ処理機能を搭載し、少なくとも現在の年月日・曜日・時刻、項目名と対応した開始時刻と終了時刻を含むタイマ設定情報の表示要求および変更要求を受付ける通信手段と、ＨＴＭＬデータ形式と内部データ形式の双方向に変換するＨＴＭＬ変換手段と、タイマ設定情報変更を行う制御手段と、項目名と対応した開始時刻と終了時刻の複数回を１日分としたものを１ページとして複数ページのデータを登録する記憶手段と、開始時刻と終了時刻に外部ベルシステムをＯＮ／ＯＦＦする出力手段とを設け、装置外部のパソコン端末のＷＷＷブラウザに、項目名と対応した開始時刻と終了時刻の複数回を１日分としたページのデータをタブ付きで表示し、それらの内容をＷＷＷブラウザから変更可能とし、またＷＷＷブラウザに表示されている別のタブをクリックすることにより別の１日分のページのデータを表示することが出来、さらにＷＷＷブラウザから各曜日とページの対応を任意に設定・変更可能としたことを特徴としたベルタイマ。
【請求項２】
ＬＡＮがインターネットに接続されていれば、一定周期でインターネット上に存在するタイムサーバーから正確な現時刻を取得し、自動校正を可能としたことを特徴とする請求項１記載のベルタイマ。
【請求項３】
タイマ設定を、同一ＬＡＮ上のパソコン端末に保存したり、すでにパソコン端末に保存されていたタイマ設定をベルタイマに書込むことを可能としたことを特徴とする請求項１記載のベルタイマ。
【発明の詳細な説明】
【技術分野】
【０００１】
本発明は、ＬＡＮ接続機能及びＨＴＴＰ処理機能を搭載したベルタイマに関する。
【背景技術】
【０００２】
ベルタイマのタイマ設定、例えば１日複数回のタイマ設定や、曜日毎の設定等を変更する場合、ベルタイマの設置場所に行き、そのベルタイマの表示部及び操作部にてプログラム・カードを利用して行われる。（例えば、特許文献１）
また、着脱式の時刻設定入力部によって行うようにしたものもある。（例えば、特許文献２）
【特許文献１】実開平7-32594号  （第４頁、第３図）
【特許文献２】特開平1-97894号  （第１頁、第１図）
【発明の開示】
【発明が解決しようとする課題】
【０００３】
しかし、ベルタイマの表示部及び操作部や、着脱式の時刻設定入力部を使用したタイマ設定の変更では、視認性、操作性の点で問題がある。これは設定時間数や設定パターン数の貧弱さにもつながり、さらには各設定時間に名称（意味付け）が無いので、専門の管理者以外には何の為の時間か分かりにくかった。また、RS232C接続やUSB接続によってタイマ設定の変更を行う場合、パソコン端末側に操作を行うための専用ソフトウェアが必要になる。そして時刻の校正も定期的に必要である。
【０００４】
本発明はＬＡＮ接続を前提とし、ベルタイマについての専門の知識を持たない人でも同一ＬＡＮ上にある任意のパソコン端末のＷＷＷブラウザに表示された設定項目及び設定値を見ながら、マウスあるいはキーボード操作により容易にタイマ設定の変更を行うことが可能なベルタイマを提供することを目的とする。
【課題を解決するための手段】
【０００５】
上記目的を達成するために、外部出力によりベルまたはチャイムを鳴動させるベルタイマにおいて、ＬＡＮ接続機能及びＨＴＴＰ処理機能を搭載し、少なくとも現在の年月日・曜日・時刻、項目名と対応した開始時刻と終了時刻を含むタイマ設定情報の表示要求および変更要求を受付ける通信手段と、ＨＴＭＬデータ形式と内部データ形式の双方向に変換するＨＴＭＬ変換手段と、タイマ設定情報変更を行う制御手段と、項目名と対応した開始時刻と終了時刻の複数回を１日分としたものを１ページとして複数ページのデータを登録する記憶手段と、開始時刻と終了時刻に外部ベルシステムをＯＮ／ＯＦＦする出力手段とを設け、装置外部のパソコン端末のＷＷＷブラウザに、項目名と対応した開始時刻と終了時刻の複数回を１日分としたページのデータをタブ付きで表示し、それらの内容をＷＷＷブラウザから変更可能とし、またＷＷＷブラウザに表示されている別のタブをクリックすることにより別の１日分のページのデータを表示することが出来、さらにＷＷＷブラウザから各曜日とページの対応を任意に設定・変更可能としたことを特徴とするベルタイマに関するものである。
また、本ベルタイマと、ベルまたはチャイムが一体の装置になることも想定される。
【０００６】
「タイマ設定」とは、現在の年月日・曜日・時刻、項目名と対応した開始時刻と終了時刻、ＩＰアドレス、サブネット・マスク、信号出力時間、開始時間、曜日とページの対応、時刻の自動修正の選択などをいう。
【０００７】
また請求項２記載の発明は、ＬＡＮがインターネットに接続されていれば、一定周期でインターネット上に存在するタイムサーバーから正確な現時刻を取得し自動校正を可能としたので、内部時刻が正確であることを特徴とする請求項１記載のベルタイマに関するものである。
【０００８】
請求項３記載の発明は、タイマ設定を、同一ＬＡＮ上のパソコン端末に保存したり、すでにパソコン端末に保存されていたタイマ設定をベルタイマに書込むことを可能としたので、これによりビルの異なる階層や、離れた建物にあるベルタイマに同じ設定を記憶させることが容易であることを特徴とする請求項１記載のベルタイマに関するものである。
【発明の効果】
【０００９】
請求項１記載の発明によれば、装置外部のパソコン端末のＷＷＷブラウザに、項目名と対応した開始時刻と終了時刻の複数回を１日分としたページのデータをタブ付きで表示し、それらの内容をＷＷＷブラウザから変更可能とし、またＷＷＷブラウザに表示されている別のタブをクリックすることにより別の１日分のページのデータを表示することが出来、さらにＷＷＷブラウザから各曜日とページの対応を任意に設定・変更可能としたのでタイマ設定情報の意味内容が誰にでも理解しやすくなり、またパソコン端末のＷＷＷブラウザを使用するので、パソコン端末に特別なソフトウェアが不必要であるし、わざわざベルタイマ本体の設置場所に行かなくても、身近にあるパソコン端末からタイマ設定情報の参照・変更ができ、操作性と利便性を向上させたのでベルタイマについての専門の知識を持たない人でも設定変更作業を容易且つ短時間に行うことができる。
【００１０】
請求項２記載の発明によれば、ＬＡＮがインターネットに接続されていれば、一定周期でインターネット上に存在するタイムサーバーから正確な現時刻を取得して自動校正を可能としたので、常に内部時刻が正確であり、上記と同様の効果を奏する。
【００１１】
請求項３記載の発明において、タイマ設定を、同一ＬＡＮ上のパソコン端末に保存したり、すでにパソコン端末に保存されていたタイマ設定をベルタイマに書込むことを可能としたので、同じタイマ設定を同一ＬＡＮ上の他のベルタイマにも設定可能となり、これによりビルの異なる階層や、離れた建物にあるベルタイマに同じ設定を記憶させることが容易となったので、上記と同様の効果を奏する。
【発明を実施するための最良の形態】
【００１２】
以下、本発明の実施の形態を図面に従って説明する。図１はＬＡＮシステムの全体構成図である。このシステムは、ＬＡＮ接続した複数のベルタイマ１〜ｍ及び同じくＬＡＮ接続したパソコン端末1〜ｎにより構成され、例えばパソコン端末１は、ＬＡＮを介してベルタイマ１と、またはベルタイマｍと情報のやりとりを行うことができる。
【００１３】
本発明では、例えばパソコン端末１に搭載されたＷＷＷブラウザによりベルタイマ１のタイマ設定情報を表示するとともに、設定変更も可能なものとする。
【００１４】
図１のベルタイマ１の内部は、本発明の実施の形態に係るベルタイマの構成を示すブロック図である。本ベルタイマ１は、ＬＡＮ接続されたパソコン端末との通信を行う通信部１０と、ＷＷＷブラウザで表示されるＨＴＭＬデータ形式と内部データ形式の双方向に変換するＨＴＭＬ変換部１１と、タイマ設定情報変更を行う制御部１２と、タイマ設定情報その他各種設定を記憶する記憶部１３と、開始時刻と終了時刻に外部ベルシステム１をＯＮ／ＯＦＦする出力部１４とを備える。
【００１５】
図２は本発明のタイマ設定情報変更（更新）の制御例を示す概略フローチャートである。パソコン端末１からタイマ設定情報の表示要求があった場合は、記憶部１３の内部設定情報を制御部１２が読み出し、ＨＴＭＬ変換部１１においてＨＴＭＬ形式に変換し（Ｓ１）、通信部１０を介してパソコン端末１へ転送する（Ｓ２）。
【００１６】
次にパソコン端末１からのデータを通信部１０が受け（Ｓ３）、ＨＴＭＬ変換部１１でベルタイマ１が解読できる内部形式に変換し（Ｓ４）、制御部１２に送る。
【００１７】
データが設定変更要求であった場合は（Ｓ５でＹｅｓ）、入力されたパスワードと記憶部１３にあらかじめ設定されているパスワードを表示し（Ｓ６）、同一パスワードでない場合は（Ｓ６でＮｏ）、変更手順を終了する。同一パスワードである場合には（Ｓ６でＹｅｓ）、記憶部１３に設定更新を行う（Ｓ７）。
【００１８】
そして最後に、変更後のタイマ設定情報と変更を行わなかった項目についての必要な全ての情報をＨＴＭＬ変換部１１でＨＴＭＬ形式に変換し（Ｓ８）、通信部１０からＬＡＮを介してパソコン端末１に転送する（Ｓ９）。
【００１９】
図３にＷＷＷブラウザで表示される「時間の設定・変更」画面のフォーマット例を示す。
項目名と対応した開始時刻と終了時刻の複数回を１日分としたページのデータを
それぞれ「通常１〜４」と「特別１〜２」という名称のタブ付きで表示するので、別のタブをクリックすることにより別の１日分のデータの表示に切り替える。
（上記タブ名称は任意であって、特に内部機能を意味するものではない。）
【００２０】
図３「項目名」はドロップダウンリストとなっており、予め登録しておいた名称を表示するので、その中から選択する。
【００２１】
図３「開始時刻」、「終了時刻」にそれぞれの時間を入力する。
【００２２】
必要な箇所を入力したら、「設定変更」ボタンを押下するとパスワード入力を要求されるので、予め設定されたパスワードを入力し、ＯＫボタンを押すとタイマ本体の記憶部１３に設定・変更が記憶される。
【００２３】
図４にＷＷＷブラウザで表示される「その他の設定」と、「各曜日−ページ」の対応表示・変更画面のフォーマット例を示す。
【００２４】
「曜日選択」の各曜日の右側が１日分のページのデータに付けたタブ名称のドロップダウンリストとなっており、対応させたいページを選択する。
【００２５】
図４「時刻の手動修正」は、タイマ内部の日付時刻を手動で修正する場合に使用する。
【００２６】
図４「時刻の自動修正」は、インターネット上のタイムサーバーから時刻を取得し、自動校正を行う場合に選択チェックする。
【００２７】
図４「ＩＰアドレスの修正」は、ＬＡＮ環境に合わせて変更する場合に使用する。
【００２８】
図４「信号出力時間」は、ドロップダウンリストとなっており、希望する信号出力時間を選択する。
【００２９】
図４「開始時間」は、ドロップダウンリストとなっており、「On Time」を選択すると設定時刻正時にＯＮとし、    「Before 30sec」を選択すると設定時刻の３０秒前にＯＮとなる。
【００３０】
必要な項目を入力・選択したら、「設定変更」ボタンを押下するとパスワード入力を要求されるので、予め設定されたパスワードを入力し、ＯＫボタンを押すとタイマ本体の記憶部１３に設定・変更が記憶される。
【００３１】
ベルタイマ１と同じ設定を他のベルタイマｍに設定する場合は、「データ取出し」ボタンを押下すると、パソコン端末側の保存ダイアログが表示されるので、任意のディレクトリを指定してＯＫボタンを押下すると、ベルタイマ１の設定がデータ・ファイルとしてパソコン端末１にダウンロードされる。その後、設定したいベルタイマｍにＷＷＷブラウザを接続し直して、そのベルタイマｍの「データ書込み」ボタンを押下すると、ファイルを開くダイアログが表示されるので、さきほどダウンロードしたファイルを指定してＯＫボタンを押下すると、ベルタイマｍにデータがアップロードされ設定が記憶部１３に記憶される。
【産業上の利用可能性】
【００３２】
学校など一定時刻毎にチャイムを鳴動させることが必要な施設で利用できる。
駅やターミナルなどで、一定時刻毎にベル等を鳴動させることが必要な施設で利用できる。
工場などで、一定時刻毎に外部装置にトリガをかけることが必要なシステムで利用できる。
農業・畜産業などで、一定時刻毎に水やエサ、肥料などを与えるためのシステムの一部として利用できる。
【図面の簡単な説明】
【００３３】
【図１】ＬＡＮシステムの全体構成図と、本発明の実施の形態に係るベルタイマの構成を示すブロック図である。
【図２】本発明のタイマ設定変更の制御例を示す概略フローチャートである。
【図３】ＷＷＷブラウザで表示する「時間の設定・変更」画面のフォーマット例を示す図である。
【図４】ＷＷＷブラウザで表示する「その他の設定」と、「各曜日−ページ」の対応表示・変更画面のフォーマット例を示す図である。
【符号の説明】
【００３４】
１０ 通信部
１１ ＨＴＭＬ変換部
１２ 制御部
１３ 記憶部
１４ 出力部
【図１】
0003641633.tif 000002
【図２】
0003641633.tif 000003
【図３】
0003641633.tif 000004
【図４】
0003641633.tif 000005